(57)【要約】      （修正有）【課題】呈観を変更させる弁当箱を提供する。【解決手段】外箱１に内箱２を内装して成る弁当箱であって、外箱１の側壁３に透過孔４を貫設し、外箱１の内部にして外箱１の側壁３の間近に、外面11に着色し、或いは模様を付与した装飾部材10を設けて、該装飾部材10の外面11を前記透過孔４に臨ませる様にすることによって、装飾部材10を取り替え、模様、呈観を変更させる。【選択図】図４
0003126844.tif 000002
【実用新案登録請求の範囲】
【請求項１】
外箱に内箱を内装して成る弁当箱であって、外箱の側壁に透過孔を貫設し、外箱の内部にして外箱側壁間近に、外面に着色し、或いは模様を付与した装飾部材を設けて、該装飾部材の外面を前記透過孔に臨ませる様にしたことを特徴とする弁当箱。
【請求項２】
透過孔の輪郭を、象形図形とし、或いは幾何図形とし、かかる透過孔にて外箱側壁に模様を表したことを特徴とする請求項１記載の弁当箱。
【請求項３】
内箱の側壁を装飾部材としたことを特徴とする請求項１又は２記載の弁当箱。
【請求項４】
外箱側壁と内箱側壁との間に装飾板を挿入し、かかる装飾板を装飾部材としたことを特徴とする請求項１、２又は３記載の弁当箱。
【請求項５】
装飾板を友禅和紙にて形成したことを特徴とする請求項４記載の弁当箱。
【考案の詳細な説明】
【技術分野】
【０００１】
本考案は、呈観を変更可能な弁当箱に関する。
【背景技術】
【０００２】
日本の食文化において、装飾はとても重要で、従来より、料理自体の他、椀や皿など食器類にも工夫を凝らし、料理を飾ることで、料理を引き立て、より美味しく、また楽しく食事させる様にしてきた。
弁当箱もその例に漏れず、例えば、古くから親しまれてきた弁当箱である重箱では、漆を塗り、その柔和で深みのある色艶にて優しい美感を醸しだしたり、螺鈿、金絵付け等の伝統的装飾技法により、日本古来の伝統美を継承してきた。
【考案の開示】
【考案が解決しようとする課題】
【０００３】
ところが、何時も同じ模様の弁当箱では飽きてしまい、例えば、春の花見、夏の祭り、秋の行楽、新春の御節のとき等その時節に応じて適切な模様のものを使用したいと考えるのが自然であり、そのためには模様の異なる弁当箱を幾種類も保有しなければならなかった。
【課題を解決するための手段】
【０００４】
本考案は、上記課題に鑑み、外箱に内箱を内装して成る弁当箱であって、外箱の側壁に透過孔を貫設し、外箱の内部にして外箱側壁間近に、外面に着色し、或いは模様を付与した装飾部材を設けて、該装飾部材の外面を前記透過孔に臨ませる様にすることによって、装飾部材を取り替え、模様、呈観を変更させる。
【考案の効果】
【０００５】
要するに本考案は、外箱に内箱を内装して成る弁当箱であって、外箱の側壁に透過孔を貫設し、外箱の内部にして外箱側壁間近に、外面に着色し、或いは模様を付与した装飾部材を設けて、該装飾部材の外面を前記透過孔に臨ませる様にしたので、透過孔を通し、装飾部材の色彩、模様が目視されて、これらと透過孔の組合わせによる模様が表出する。
従って、装飾部材を取り替えれば、弁当箱全体の雰囲気を様々に変更して、使用者を楽しませることが出来る。
【０００６】
透過孔の輪郭を、例えば、羽子板、羽根、凧、独楽等の物品や、動植物、乗り物等をかたどった象形図形としたり、或いは円形、三角形、四角形等の幾何図形として、かかる透過孔にて外箱側壁に模様を表したので、透過孔の輪郭による模様と、その輪郭内側に表出する装飾部材との組合わせにより、より複雑な模様となり、装飾部材の取り替えでより大きく全体の雰囲気を変更させることが出来る。
【０００７】
内箱の側壁を装飾部材としたので、例えば、透過孔の輪郭が異なる外箱を複数種類用意すると共に、色彩や模様の異なる内箱を複数種類用意し、外箱と内箱との組合わせにより、幾通りもの異なる模様を表出でき、また１つの外箱の各側面毎に輪郭の異なる透過孔を設けると共に、１つの内箱の各側面毎に施す色彩や模様を変えれば、１組の外箱と内箱を保有し、外箱と内箱との組合わせ位置を変えるだけで、様々な模様を表出させることが出来る。
【０００８】
外箱側壁と内箱側壁との間に装飾板を挿入し、かかる装飾板を装飾部材としたので、装飾板のみ複数種類あれば良いので、保管に嵩張ることなく、また外食産業ではコスト低減を図ることが出来き、更には装飾板が内箱内の料理により汚れないから、紙製の装飾板でも良く、装飾板を友禅和紙にて形成したものでは、日本的情緒に溢れた独特の美感をかもし出すことが出来る等その実用的効果甚だ大である。
【考案を実施するための最良の形態】
【０００９】
以下、本考案の一実施形態について図面に基づき説明する。
図１は本考案に係る弁当箱の正面図、図２は図１の弁当箱の平面図、図３は図２のＡ−Ａ断面図、図４は図２の要部拡大断面図、図５は弁当箱内部に収納した装飾板の正面図である。
各図に示す様に、本考案に係る弁当箱は、外箱１に内箱２を内装して成り、外箱１の側壁３に透過孔４を貫設している。
又、外箱１の内部にして外箱１の側壁３と内箱２の側壁５との間に装飾板６を挿入し、該装飾板６の外面７を外箱１の透過孔４に臨ませる様にしている。
【００１０】
本実施例のものは、重箱形式の弁当箱であるが、勿論単層の弁当箱でも良く、蓋体８の有無も問わない。
透過孔４は、弁当箱の正面側及び背面側に設けられているが、これと共に、両側面側にも設けても良いし、或いは、正面側だけにしても良い。
又、透過孔４の輪郭を、羽子板、羽根、凧、独楽の輪郭として、かかる透過孔４にて外箱１の側壁３に模様を表しているが、透過孔４の輪郭は図示例の形に限定せず、例えば、上記以外の物品や、動植物、乗物等をかたどった象形図形であったり、或いは、円形、三角形、四角形等の幾何図形でも良く、また貫設数についても、何ら限定されない。
【００１１】
装飾板６の外面７には模様が付与されており、模様の態様は、特に限定せず、例えば印刷や手描き、彫り出しの他、友禅染技法により模様を付与した友禅和紙にて装飾板６を形成しても良い。
尚、装飾板６は必ずしも模様が設けられてなくても良く、適宜色彩にて単に着色したものでも良い。
又、装飾板６自体も必ずしも設けなくても良く、内箱２の側壁５の外面９に着色し、或いは模様を付与して、外面９を透過孔４を通し外部より目視できる様にしても良い。
【００１２】
要するに、外箱１の内部にして外箱１の側壁３の間近に、外面に着色し、或いは模様を付与した装飾部材10を設けて、該装飾部材10の外面11を外箱１の透過孔４に臨ませる様にすれば良く、内箱２の側壁５を装飾部材10としも良いし、装飾板６を装飾部材10としても良く、またその両方であっても良い。
【図面の簡単な説明】
【００１３】
【図１】本考案に係る弁当箱の正面図である。
【図２】図１の弁当箱の平面図である。
【図３】図２のＡ−Ａ断面図である。
【図４】図２の要部拡大断面図である。
【図５】装飾板の正面図である。
【符号の説明】
【００１４】
１  外箱
２  内箱
３  側壁
４  透過孔
５  側壁
６  装飾板
７  外面
８  蓋体
９  外面
10  装飾部材
11  外面
【図１】
0003126844.tif 000003
【図２】
0003126844.tif 000004
【図３】
0003126844.tif 000005
【図４】
0003126844.tif 000006
【図５】
0003126844.tif 000007